(57)【特許請求の範囲】
【請求項１】
ディスクテーブルに装着されるディスク状記録媒体の半径方向へ移動する移動ベースを有すると共に当該移動ベースに設けられた発光素子から照射されたレーザー光を対物レンズを介して当該ディスク状記録媒体の記録面に照射する光学ピックアップに設けられ、当該ディスク状記録媒体の記録面にレーザー光が集光するようにフォーカシング調整及びトラッキング調整を行う対物レンズ駆動装置であって、
前記対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、
前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを備え、
前記可動部に前記ヨーク部に対向して配置されると共に極対数が１のマグネットが取り付けられ、
前記マグネット側に突出すると共に当該マグネットを引き寄せて前記可動部をフォーカシング方向及びトラッキング方向における中立位置にそれぞれ保持する中立用突部を前記ヨーク部に設け、
前記中立用突部を略矩形状に形成し、トラッキング方向に延びる軸を中心として当該中立用突部又は前記マグネットを当該マグネット又は当該中立用突部に対して所定の角度傾斜させた
ことを特徴とする対物レンズ駆動装置。
【請求項２】
ディスクテーブルに装着されるディスク状記録媒体の半径方向へ移動する移動ベースを有すると共に当該移動ベースに設けられた発光素子から照射されたレーザー光を対物レンズを介して当該ディスク状記録媒体の記録面に照射する光学ピックアップを備え、当該光学ピックアップに設けられた対物レンズ駆動装置によって当該ディスク状記録媒体の記録面にレーザー光が集光するようにフォーカシング調整及びトラッキング調整が行われるディスクドライブ装置であって、
前記対物レンズ駆動装置は、
前記対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、
前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを備え、
前記可動部に前記ヨーク部に対向して配置されると共に極対数が１のマグネットが取り付けられ、
前記マグネット側に突出すると共に当該マグネットを引き寄せて前記可動部をフォーカシング方向及びトラッキング方向における中立位置にそれぞれ保持する中立用突部を前記ヨーク部に設け、
前記中立用突部を略矩形状に形成し、トラッキング方向に延びる軸を中心として当該中立用突部又は前記マグネットを当該マグネット又は当該中立用突部に対して所定の角度傾斜させた
ことを特徴とするディスクドライブ装置。
【発明の詳細な説明】
【０００１】
【発明の属する技術分野】
本発明は対物レンズ駆動装置及びディスクドライブ装置に関する。詳しくは、対物レンズを有する可動部が支持軸部に回動自在かつ摺動自在に支持された対物レンズ駆動装置及び該対物レンズ駆動装置を備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置には、支持軸部にその軸回り方向に回動自在かつ軸方向に摺動自在に支持された可動部を動作させて、ディスク状記録媒体に照射されるレーザー光のフォーカシング調整及びトラッキング調整を行う対物レンズ駆動装置が設けられているものがある。
【０００３】
このような従来の対物レンズ駆動装置を図１４及び図１５に示す。
【０００４】
対物レンズ駆動装置ａは、磁性金属材料によって形成された固定部ｂと該固定部ｂに支持された可動部ｃとを備えている。
【０００５】
固定部ｂは、ベース部ｄと該ベース部ｄの両側縁から立ち上げられたヨーク部ｅ、ｅとベース部ｄの略中央部から上方へ突出された支持軸部ｆとを有している。ヨーク部ｅ、ｅの内面には、それぞれマグネットｇ、ｇが取り付けられている。
【０００６】
可動部ｃはボビンｈに所要の各部材が取り付けられて成る。
【０００７】
ボビンｈは本体部ｉと該本体部ｉから前方へ突出されたレンズホルダー部ｊとを有している。本体部ｉの略中央部には下方へ突出された円筒状を為す被支持筒部ｋが設けられている。レンズホルダー部ｊには対物レンズｌが保持されている。
【０００８】
ボビンｈには、コイル体ｍが取り付けられている。コイル体ｍは軸方向が上下となるように略角筒状に巻回されたフォーカシングコイルｎの両側部にそれぞれ前後に隣接した状態で２つずつのトラッキングコイルｏ、ｏ、・・・が取り付けられて成る。
【０００９】
ボビンｈの被支持筒部ｋには、磁性金属材料によって形成された磁性材料ｐが取り付けられている。磁性材料ｐは可動部ｃをフォーカシング方向及びトラッキング方向における中立位置に保持する役割を果たすものである。
【００１０】
可動部ｃは固定部ｂの支持軸部ｆが被支持筒部ｋに挿入されることにより、支持軸部ｆに、その軸方向に摺動自在かつ軸回り方向に回動自在に支持されている。支持軸部ｆの軸方向がディスク状記録媒体に対してフォーカシング調整が為されるフォーカシング方向であり、ディスク状記録媒体の略半径方向がディスク状記録媒体に対してトラッキング調整が為されるトラッキング方向である。
【００１１】
可動部ｃが支持軸部ｆに支持された状態においては、フレキシブルプリント配線板ｑの一端部ｒがボビンｈの後面部に取り付けられ、フレキシブルプリント配線板ｑの中間部ｓが固定部ｂのベース部ｄの下面に取り付けられる（図１５参照）。フレキシブルプリント配線板ｑの図示しない他端部は、図示しない電流供給回路に接続されている。
【００１２】
ボビンｈに取り付けられたフレキシブルプリント配線板ｑの一端部ｒはフォーカシングコイルｎ及びトラッキングコイルｏ、ｏ、・・・に電気的に接続され、電流供給回路からフレキシブルプリント配線板ｑを介してフォーカシングコイルｎ及びトラッキングコイルｏ、ｏ、・・・に各別に駆動電流が供給される。
【００１３】
このような可動部ｃが支持軸部ｆに支持された軸摺動型の対物レンズ駆動装置ａは、可動部が固定部に対してサスペンションによって支持されているタイプの対物レンズ駆動装置に比して、可動部ｃの重量バランスが良好であるため、フォーカシング方向に直交する方向における耐振動性に優り、自重による可動部ｃの変位が小さい等の長所を有する。
【００１４】
【発明が解決しようとする課題】
ところが、上記した従来の対物レンズ駆動装置ａにあっては、フォーカシングコイルｎ及びトラッキングコイルｏ、ｏ、・・・に駆動電流を供給するために、可動部ｃに取り付けられたフレキシブルプリント配線板ｑを用いているため、可動部ｃが固定部ｂに対して動作されるときに、フレキシブルプリント配線板ｑの剛性によって可動部ｃに大きな負荷がかかり易く、共振周波数が高くなり低域における感度が低くなる等の不具合が生じ、可動部ｃの動作に支障を来たすおそれがある。
【００１５】
また、フレキシブルプリント配線板ｑの剛性により可動部ｃが支持軸部ｆに押し付けられる方向への力が付与されると、可動部ｃの中立位置が不安定になったり、可動部ｃが支持軸部ｆに線接触した状態で押し付けられることにより摺動ロスが大きく感度の低下等を来たすという問題もある。
【００１６】
さらに、フォーカシングコイルｑを用いる分、その配置スペースが必要とされる上、この配置スペースは、可動部ｃが動作されたときに可動部ｃの動作に伴って変位されるフォーカシングコイルｑの変位量をも考慮した大きなスペースとしなければならず、対物レンズ駆動装置ａの小型化を阻む要因となっていた。
【００１７】
そこで、本発明対物レンズ駆動装置及びディスクドライブ装置は、上記した問題点を克服し、当該対物レンズ駆動装置の可動部の動作の安定化及び小型化を図ることを課題とする。
【００１８】
【課題を解決するための手段】
本発明対物レンズ駆動装置は、上記した課題を解決するために、対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを設け、前記可動部に前記ヨーク部に対向して配置されると共に極対数が１のマグネットを取り付け、前記マグネット側に突出すると共に当該マグネットを引き寄せて前記可動部をフォーカシング方向及びトラッキング方向における中立位置にそれぞれ保持する中立用突部を前記ヨーク部に設け、前記中立用突部を略矩形状に形成し、トラッキング方向に延びる軸を中心として当該中立用突部又は前記マグネットを当該マグネット又は当該中立用突部に対して所定の角度傾斜させたものである。
【００１９】
また、本発明ディスクドライブ装置は、上記した課題を解決するために、対物レンズ駆動装置に、対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを設け、前記可動部に前記ヨーク部に対向して配置されると共に極対数が１のマグネットを取り付け、前記マグネット側に突出すると共に当該マグネットを引き寄せて前記可動部をフォーカシング方向及びトラッキング方向における中立位置にそれぞれ保持する中立用突部を前記ヨーク部に設け、前記中立用突部を略矩形状に形成し、トラッキング方向に延びる軸を中心として当該中立用突部又は前記マグネットを当該マグネット又は当該中立用突部に対して所定の角度傾斜させたものである。
【００２０】
従って、本発明対物レンズ駆動装置及びディスクドライブ装置にあっては、可動部に対するフレキシブルプリント配線板による負荷がなくなる。
【００２１】
【発明の実施の形態】
以下に、本発明対物レンズ駆動装置及びディスクドライブ装置の実施の形態を添付図面に従って説明する。
【００２２】
ディスクドライブ装置１は、薄い箱状を為す外筐２内に所要の各部材及び各機構が配置されて成り、外筐２の前面には横長の矩形状を為す挿脱口２ａが形成されている（図１参照）。ディスク状記録媒体１００は挿脱口２ａを介して外筐２の内部に挿入され又は外筐２から取り出される。
【００２３】
外筐２内にはシャーシ３が配置されている（図１参照）。シャーシ３の略中央部の下面側には図示しないスピンドルモーターが配置され、該スピンドルモーターのモーター軸にディスクテーブル４が固定されている。
【００２４】
シャーシ３には配置孔３ａが形成され、ディスクテーブル４が配置孔３ａからシャーシ３の上方へ突出されている（図１参照）。
【００２５】
シャーシ３の下面側には、リードスクリュー５とガイド軸６、６とが平行な状態で配置されている（図１参照）。シャーシ３の配置孔３ａには、光学ピックアップ７がディスクテーブル４に装着されるディスク状記録媒体１００の半径方向へ移動可能な状態で配置されている。
【００２６】
光学ピックアップ７は移動ベース８に所要の各部材が配置されて成る。光学ピックアップ７は、移動ベース８の一端部がリードスクリュー５に螺合されると共に移動ベース８の両端部がそれぞれガイド軸６、６に摺動自在に支持され（図１参照）、リードスクリュー５の回転によりガイド軸６、６に案内されてディスク状記録媒体１００の半径方向へ移動される。
【００２７】
対物レンズ駆動装置９は、固定部１０と該固定部１０に支持された可動部１１とを備えている（図２乃至図４参照）。
【００２８】
固定部１０は、移動ベース８の上面に取り付けられるベース部１２と、該ベース部１２の両側縁からそれぞれ上方へ折り曲げられて形成されたヨーク部１３、１３と、ベース部１２の略中央部から上方へ突出された支持軸部１４とを有し、少なくともベース部１２とヨーク部１３、１３とは磁性金属材料によって形成されている。
【００２９】
ヨーク部１３、１３の内面の中央部には、それぞれ互いに近づく方向へ突出された中立用突部１３ａ、１３ａが設けられている。中立用突部１３ａ、１３ａは横長の矩形状に形成されている。
【００３０】
ヨーク部１３、１３には、それぞれフォーカシングコイル１５、１５が取り付けられている。フォーカシングコイル１５は、ヨーク部１３を周囲から囲むようにして取り付けられ、軸方向が上下方向となるようにされている。フォーカシングコイル１５、１５は、それぞれヨーク部１３、１３の内面側に位置する部分が可動部１１にフォーカシング方向への駆動力を付与するための駆動力発生部１５ａ、１５ａとして形成されている。
【００３１】
フォーカシングコイル１５の駆動力発生部１５ａには、前後に並ぶようにしてトラッキングコイル１６、１６が取り付けられている。トラッキングコイル１６、１６は軸方向が左右方向となるようにされている。トラッキングコイル１６、１６、・・・は、それぞれ前後方向において近接して位置する部分が可動部１１にトラッキング方向への駆動力を付与するための駆動力発生部１６ａ、１６ａ、・・・として形成されている。
【００３２】
フォーカシングコイル１５、１５及びトラッキングコイル１６、１６、・・・は、これらのコイル線の各先端部が電流供給回路に接続された図示しないフレキシブルプリント配線板に半田付け等によってそれぞれ接続される。
【００３３】
可動部１１はボビン１７に所要の各部材が取り付けられて成る。
【００３４】
ボビン１７は本体部１８と該本体部１８から前方へ突出されたレンズホルダー部１９とを有している（図２及び図３参照）。
【００３５】
本体部１８の中央部には被支持孔１８ａが形成されている（図４参照）。本体部１８の左右両側面部には、それぞれマグネット２０、２０とバックヨーク２１とが取り付けられている。
【００３６】
マグネット２０、２０は、それぞれ極対数が１とされた所謂単極マグネットであり、外面側と内面側とで異なる着磁が為されている（図３及び図４参照）。マグネット２０、２０は本体部１８に対して、例えば、稍前下がりに傾斜された状態で取り付けられている（図５参照）。
【００３７】
バックヨーク２１は、軸方向が上下方向となるような角筒状に形成され、被支持孔１８ａを囲むようにして本体部１８に取り付けられている。バックヨーク２１の左右両側面部２１ａ、２１ａは、それぞれマグネット２０、２０の内面に接している。
【００３８】
レンズホルダー部１９には対物レンズ２２が取り付けられている（図２及び図３参照）。
【００３９】
可動部１１は支持軸部１４が被支持孔１８ａに挿入されることにより、支持軸部１４に、その軸方向に摺動自在かつ軸回り方向に回動自在に支持される。支持軸部１４の軸方向がディスク状記録媒体１００に対してフォーカシング調整が為されるフォーカシング方向（図２に示すＦ―Ｆ方向）であり、ディスク状記録媒体１００の略半径方向がディスク状記録媒体１００に対してトラッキング調整が為されるトラッキング方向（図２に示すＴ―Ｔ方向）である。
【００４０】
可動部１１が支持軸部１４に支持された状態においては、マグネット２０、２０が、それぞれヨーク部１３、１３に対向して位置され、マグネット２０、２０とヨーク部１３、１３との間にそれぞれフォーカシングコイル１５、１５の駆動力発生部１５ａ、１５ａとトラッキングコイル１６、１６、・・・とが配置される。このとき、上記したように、マグネット２０、２０は本体部１８に対して稍前下がりに傾斜された状態で取り付けられているため、マグネット２０、２０は、それぞれヨーク部１３、１３の中立用突部１３ａ、１３ａに対して角度θ傾斜した状態とされる（図５参照）。
【００４１】
固定部１０のヨーク部１３、１３の上面に、可動部１１を覆う磁性材料によって形成された平板状のカバー２３が取り付けられている（図２及び図４参照）。
【００４２】
マグネット２０、２０は、例えば、図２乃至図４で見て左側に位置するものは外側がＳ極とされ内側がＮ極とされており、右側に位置するものは内側がＳ極とされ外側がＮ極とされている（図３及び図４参照）。左側のマグネット２０のＮ極から発生した磁束はバックヨーク２１を介して右側のマグネット２０に至り、さらに右側のヨーク部１３からベース部１２又はカバー２３を経て左側のヨーク部１３に至り、左側のマグネット２０のＳ極に達する（図４参照）。このとき可動部１１は、マグネット２０、２０の磁力とフォーカシングコイル１５、１５の駆動力発生部１５ａ、１５ａ、・・・に前後に流れる駆動電流との関係によってフォーカシング方向へ動作され、マグネット２０、２０の磁力とトラッキングコイル１６、１６、・・・の駆動力発生部１６ａ、１６ａ、・・・に上下に流れる駆動電流との関係によってトラッキング方向へ動作される。
【００４３】
以下に、ディスクドライブ装置１の動作について説明する。
【００４４】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた図示しない発光素子からレーザー光が出射され対物レンズ２２を介してディスク状記録媒体１００の記録面に照射される。
【００４５】
ディスク状記録媒体１００の記録面に照射されたレーザー光は当該記録面で反射され、移動ベース８に設けられた図示しない受光素子に入射され、光電変換されて情報信号の記録又は再生が行われる。
【００４６】
情報信号の記録又は再生が行われるときには、対物レンズ駆動装置９によってフォーカシング調整及びトラッキング調整が行われる。フォーカシング調整時には、電流供給回路からフォーカシングコイル１５、１５に駆動電流が供給され、対物レンズ２２を介して照射されるレーザー光のスポットがディスク状記録媒体１００の記録面に集光するように、可動部１１が支持軸部１４の軸方向に動作される。トラッキング調整時には、電流供給回路からトラッキングコイル１６、１６、・・・に駆動電流が供給され、対物レンズ２２を介して照射されるレーザー光のスポットがディスク状記録媒体１００の記録面に集光するように、可動部１１が支持軸部１４の軸回り方向に動作される。
【００４７】
対物レンズ駆動装置９にあっては、固定部１０のヨーク部１３、１３にそれぞれ中立用突部１３ａ、１３ａが設けられているため、該中立用突部１３ａ、１３ａにそれぞれマグネット２０、２０の中央部が引き寄せられる。従って、フォーカシングコイル１５、１５に駆動電流が供給されていないときに可動部１１をフォーカシング方向における中立位置に確実に保持することができ、また、トラッキングコイル１６、１６、・・・に駆動電流が供給されていないときに可動部１１をトラッキング方向における中立位置に確実に保持することができる。
【００４８】
尚、中立用突部１３ａ、１３ａの表面積、突出量及び形状等は必要に応じて任意に変更可能である。中立用突部１３ａ、１３ａの表面積、突出量及び形状等を変更することにより、可動部１１を動作させるための駆動力に影響を与えることなく、フォーカシング動作及びトラッキング動作における共振周波数を任意に変更することができる。共振周波数の変更により、例えば、ディスク状記録媒体１００の回転動作における共振周波数との一致を回避したり、可動部１１の感度の向上を図ることができる。
【００４９】
図７は、可動部のフォーカシング方向又はトラッキング方向における位置が変化されたときに、可動部に付与されるフォーカシング方向への駆動力Ｆｚ及びトラッキング方向への回転トルクＴｚを示すグラフ図である。
【００５０】
図７の上側に示すグラフ図は中立用突部１３ａ、１３ａが設けられていない従来の対物レンズ駆動装置についてのデーターを示し、図７の下側に示すグラフ図は中立用突部１３ａ、１３ａが設けられた対物レンズ駆動装置９についてのデーターを示している。
【００５１】
縦軸に駆動力Ｆｚ又は回転トルクＴｚを示し、横軸に可動部の各位置を示している。かっこ内の左側の数値がフォーカシング方向における中立位置からの距離（ｍｍ）を示し、かっこ内の右側の数値がトラッキング方向における中立位置からの回転角度（ｄｅｇ．）を示す。例えば、「（０．５、０）」は、可動部が中立位置から０．５ｍｍカバーに近付く方向へ移動され、トラッキング方向には回動されずトラッキング方向における中立位置にある状態を示している。
【００５２】
図中、折れ線グラフで示すデーターは駆動力Ｆｚを示し、それぞれフォーカシングコイルに駆動電流を供給しなかった場合（０アンペア）、フォーカシングコイルに０．１アンペアの駆動電流を供給した場合及びフォーカシングコイルに１アンペアの駆動電流を供給した場合の３つの場合について測定している。
【００５３】
図中、棒グラフで示すデーターは回転トルクＴｚを示し、それぞれフォーカシングコイルに駆動電流を供給しなかった場合（０アンペア）、フォーカシングコイルに０．１アンペアの駆動電流を供給した場合及びフォーカシングコイルに１アンペアを供給した場合の３つの場合について測定している。
【００５４】
従来の対物レンズ駆動装置については、図７の上側のグラフ図に示すように、可動部がフォーカシング方向に＋０．５ｍｍ移動され駆動電流が０アンペアの場合に、同じ方向（プラス側）への駆動力Ｆｚが発生している。また、可動部がフォーカシング方向に−０．５ｍｍ移動され駆動電流が０アンペアの場合に、同じ方向（マイナス側）への駆動力Ｆｚが発生している。従って、何れの場合にも、可動部をフォーカシング方向における中立位置から離間させる方向への駆動力が発生しており、フォーカシング方向における中立位置への保持を適正に行うことができないことを示している。
【００５５】
対物レンズ駆動装置９については、図７の下側のグラフ図に示すように、可動部１１がフォーカシング方向に＋０．５ｍｍ移動され駆動電流が０アンペアの場合に、逆方向（マイナス側）への駆動力Ｆｚが発生している。また、可動部１１がフォーカシング方向に−０．５ｍｍ移動され駆動電流が０アンペアの場合に、逆方向（プラス側）への駆動力Ｆｚが発生している。従って、何れの場合にも、可動部１１をフォーカシング方向における中立位置に近付ける方向への駆動力が発生しており、フォーカシング方向における中立位置への保持を適正に行うことができることが確認された。
【００５６】
マグネット２０、２０は、上記したように、それぞれヨーク部１３、１３に設けられた中立用突部１３ａ、１３ａに対して傾斜された状態とされているため（図５参照）、マグネット２０、２０は中立用突部１３ａ、１３ａに対して水平となるように引き寄せられ、可動部１１が支持軸部１４に対して該支持軸部１４と被支持孔１８ａとのクリアランス分傾斜される（図６参照）。
【００５７】
従って、可動部１１は支持軸部１４に対して常に一方に傾斜した状態でフォーカシング方向及びトラッキング方向に動作され、耐振動性が良好となり、支持軸部１４に対する可動部１１の傾斜方向の変動を来たすことなく安定して動作される。
【００５８】
以上に記載した通り、対物レンズ駆動装置９にあっては、固定部１０にフォーカシングコイル１５、１５及びトラッキングコイル１６、１６、・・・が設けられているため、駆動電流を供給するためのフレキシブルプリント配線板を可動部１１に取り付ける必要がなく、動作中に可動部１１に負荷がかかることがなく、可動部１１の感度の向上による動作の安定化を図ることができる。
【００５９】
また、可動部１１にフレキシブルプリント配線板が取り付けられないため、フレキシブルプリント配線板の可動スペースを確保する必要がなく、その分、対物レンズ駆動装置９の小型化を図ることができる。
【００６０】
さらに、可動部１１に設けられたマグネット２０、２０は極対数が１とされた単極マグネットであるため、マグネット２０、２０を小型とすることができると共に安価に製造することができるため、対物レンズ駆動装置９の小型化及び製造コストの低減を図ることができる。
【００６１】
加えて、可動部１１に電流供給回路との電気的接続を図るための半田付け等の作業を行う必要がなく、固定部１０に半田付け等を行うことにより作業性の向上を図ることができ、また、半田付け等による可動部１１の重量バランスの悪化を防止することができる。
【００６２】
尚、上記には、支持軸部１４と被支持孔１８ａとのクリアランス分、可動部１１を支持軸部１４に対して傾斜させた状態で動作させる方法として、マグネット２０、２０を中立用突部１３ａ、１３ａに対して傾斜させる例を示したが、逆に、中立用突部１３ａ、１３ａをマグネット２０、２０に対して傾斜させることにより、可動部１１を支持軸部１４に対して傾斜させた状態で動作させるようにしてもよい。
【００６３】
次に、固定部の一部及びカバーが非磁性材料によって形成された対物レンズ駆動装置９Ａについて説明する（図８参照）。
【００６４】
尚、以下に示す対物レンズ駆動装置９Ａは、上記した対物レンズ駆動装置９と比較して、固定部の一部とカバーとが非磁性材料によって形成されたことのみが相違するため、対物レンズ駆動装置９と比較して異なる部分についてのみ詳細に説明をし、その他の部分については対物レンズ駆動装置９における同様の部分に付した符号と同じ符号を付して説明は省略する。
【００６５】
対物レンズ駆動装置９Ａにあっては、固定部１０Ａのヨーク部１３、１３とベース部１２Ａとが別の材料で形成され、ヨーク部１３、１３は磁性材料によって形成されており、ベース部１２Ａが非磁性材料によって形成されている。また、カバー２３Ａも非磁性材料によって形成されている。
【００６６】
対物レンズ駆動装置９Ａにあっては、上記のように、ベース部１２Ａとカバー２３Ａとが非磁性材料によって形成されているため、可動部１１のマグネット２０、２０がベース部１２Ａ及びカバー２３Ａに引き寄せられず、フォーカシング方向における中立位置への保持を良好な精度で確実に行うことができる。
【００６７】
上記には、ベース部１２Ａとカバー２３Ａとを非磁性材料によって形成した対物レンズ駆動装置９Ａについて説明したが、フォーカシング方向における中立位置への保持を良好な精度で確実に行うために、図９に示すような対物レンズ駆動装置９Ｂを用いることもできる。
【００６８】
対物レンズ駆動装置９Ｂは、固定部１０Ｂのベース部１２Ｂとカバー２３Ｂとが何れも磁性材料によって形成されている。
【００６９】
ベース部１２Ｂには可動部１１の下方の所定の位置に、孔１２ａ、１２ａが形成されている。
【００７０】
カバー２３Ｂには可動部１１の上方の所定の位置に、孔２３ａ、２３ａが形成されている。
【００７１】
対物レンズ駆動装置９Ｂにあっては、ベース部１２Ｂとカバー２３Ｂとが磁性材料によって形成され、可動部１１はベース部１２Ｂとカバー２３Ｂとを流れる磁束の影響を受けるが、孔１２ａ、１２ａ及び孔２３ａ、２３ａによって当該磁束の影響が小さくされている。
【００７２】
従って、対物レンズ駆動装置９Ｂにあっても、フォーカシング方向における中立位置への保持を良好な精度で確実に行うことができる。
【００７３】
次に、上記したフォーカシングコイル１５、１５及びトラッキングコイル１６、１６、・・・に代えてフォーカシングコイルとトラッキングコイルとが一体に形成されたコイル体を用いた対物レンズ駆動装置９Ｃについて説明する（図１０乃至図１３参照）。
【００７４】
尚、以下に示す対物レンズ駆動装置９Ｃは、上記した対物レンズ駆動装置９と比較して、フォーカシングコイル１５、１５及びトラッキングコイル１６、１６、・・・に代えてこれらが一体に形成されたコイル体を用いたことのみが相違するため、対物レンズ駆動装置９と比較して異なる部分についてのみ詳細に説明をし、その他の部分については対物レンズ駆動装置９における同様の部分に付した符号と同じ符号を付して説明は省略する。
【００７５】
対物レンズ駆動装置９Ｃにあっては、固定部１０Ｃのヨーク部１３、１３の内面に、それぞれコイル体２４、２４が取り付けられている（図１０及び図１１参照）。
【００７６】
コイル体２４はＦＰコイルと称されるコイルであり、コイル用基板２５にそれぞれ横長の略角筒状を為し上下に離間して位置されたフォーカシングコイル２６、２６と、それぞれ縦長の略角筒状を為し前後に離間して位置されたトラッキングコイル２７、２７とが一体に形成されて成るものである（図１２参照）。フォーカシングコイル２６、２６とトラッキングコイル２７、２７とは、それぞれ略全体が重なるようにして設けられている。
【００７７】
コイル用基板２５の後端部には、上下に離間して端子部２５ａ、２５ａ、・・・が設けられ、該端子部２５ａ、２５ａ、・・・にフォーカシングコイル２６、２６の各一端部とトラッキングコイル２７、２７の各一端部とがそれぞれ接続されている。
【００７８】
コイル体２４、２４の後端部側には給電用基板２８が配置されている（図１０及び図１３参照）。給電用基板２８としては、例えば、フレキシブルプリント配線板が用いられている。給電用基板２８は、その一端部に図示しない縦長の挿通孔が左右に離間して形成され、該挿通孔の開口縁に接続端子部が上下に離間して設けられている。給電用基板２８の他端部は図示しない電流供給回路に接続されている。
【００７９】
コイル体２４、２４は、それぞれ後端部が給電用基板２８の挿通孔を挿通されて給電用基板２８の後方側に突出され、端子部２５ａ、２５ａ、・・・がそれぞれ給電用基板２８の接続端子部に、例えば、半田２９、２９、・・・によって接続される。従って、コイル体２４、２４のフォーカシングコイル２６、２６、・・・とトラッキングコイル２７、２７、・・・とには、給電用基板２８を介して電流供給回路から各別に駆動電流が供給される。
【００８０】
上記のように、対物レンズ駆動装置９Ｃにあっては、それぞれコイル用基板２５、２５にフォーカシングコイル２６、２６、・・・及びトラッキングコイル２７、２７、・・・が形成されて成る平板状のコイル体２４、２４が用いられているため、ヨーク部１３、１３を結ぶ方向における幅が小さくなり、小型化を図ることができる。
【００８１】
また、対物レンズ駆動装置９Ｃにあっては、その組立工程において、フォーカシングコイル２６、２６、・・・及びトラッキングコイル２７、２７、・・・の給電用基板２８への接続は、コイル用基板２５、２５の端子部２５ａ、２５ａ、・・・を給電用基板２８の接続端子部にそれぞれ接続すればよいため、フォーカシングコイルとトラッキングコイルのコイル線の端部を給電用基板２８の接続端子部にそれぞれ接続するという面倒な作業を行う必要がなく、組立工程における作業性の向上を図ることができる。
【００８２】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８３】
【発明の効果】
以上に記載したところから明らかなように、本発明対物レンズ駆動装置は、ディスクテーブルに装着されるディスク状記録媒体の半径方向へ移動する移動ベースを有すると共に当該移動ベースに設けられた発光素子から照射されたレーザー光を対物レンズを介して当該ディスク状記録媒体の記録面に照射する光学ピックアップに設けられ、当該ディスク状記録媒体の記録面にレーザー光が集光するようにフォーカシング調整及びトラッキング調整を行う対物レンズ駆動装置であって、前記対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを備え、前記可動部に前記ヨーク部に対向して配置されると共に極対数が１のマグネットが取り付けられ、前記マグネット側に突出すると共に当該マグネットを引き寄せて前記可動部をフォーカシング方向及びトラッキング方向における中立位置にそれぞれ保持する中立用突部を前記ヨーク部に設け、前記中立用突部を略矩形状に形成し、トラッキング方向に延びる軸を中心として当該中立用突部又は前記マグネットを当該マグネット又は当該中立用突部に対して所定の角度傾斜させたことを特徴とする。
【００８４】
従って、駆動電流を供給するためのフレキシブルプリント配線板を可動部に取り付ける必要がなく、動作中に可動部に負荷がかかることがなく、可動部の感度の向上による動作の安定化を図ることができる。
【００８５】
また、可動部にフレキシブルプリント配線板が取り付けられないため、フレキシブルプリント配線板の可動スペースを確保する必要がなく、その分、対物レンズ駆動装置の小型化を図ることができる。
【００８６】
さらに、可動部に設けられたマグネットは極対数が１とされているため、マグネットを小型とすることができると共に安価に製造することができるため、対物レンズ駆動装置の小型化及び製造コストの低減を図ることができる。
【００８７】
加えて、可動部に電流供給回路との電気的接続を図るための半田付け等の作業を行う必要がなく、固定部に半田付け等を行うことにより作業性の向上を図ることができ、また、半田付け等による可動部の重量バランスの悪化を防止することができる。そのうえ、フォーカシングコイルに駆動電流が供給されていないときに可動部をフォーカシング方向における中立位置に確実に保持することができ、また、トラッキングコイルに駆動電流が供給されていないときに可動部をトラッキング方向における中立位置に確実に保持することができる。また、可動部は支持軸部に対して常に一方に傾斜した状態でフォーカシング方向及びトラッキング方向に動作され、耐振動性が良好となり、支持軸部に対する可動部の傾斜方向の変動を来たすことなく安定して動作させることができる。
【００９２】
本発明ディスクドライブ装置は、ディスクテーブルに装着されるディスク状記録媒体の半径方向へ移動する移動ベースを有すると共に当該移動ベースに設けられた発光素子から照射されたレーザー光を対物レンズを介して当該ディスク状記録媒体の記録面に照射する光学ピックアップを備え、当該光学ピックアップに設けられた対物レンズ駆動装置によって当該ディスク状記録媒体の記録面にレーザー光が集光するようにフォーカシング調整及びトラッキング調整が行われるディスクドライブ装置であって、上記対物レンズ駆動装置は、上記対物レンズの光軸方向へ突出して設けられた支持軸部と磁性材料によって形成された少なくとも一対のヨーク部とフォーカシング調整時に駆動電流が供給されるフォーカシングコイルとトラッキング調整時に駆動電流が供給されるトラッキングコイルとを有する固定部と、前記支持軸部の軸回り方向に回動自在かつ当該支持軸部の軸方向に摺動自在に支持されると共にフォーカシング調整時に前記ディスクテーブルに装着された前記ディスク状記録媒体の記録面に離接する方向であるフォーカシング方向に動作されトラッキング調整時に当該ディスクテーブルに装着された当該ディスク状記録媒体の略半径方向であるトラッキング方向に動作される可動部とを備え、前記可動部に前記ヨーク部に対向して配置されると共に極対数が１のマグネットが取り付けられ、前記マグネット側に突出すると共に当該マグネットを引き寄せて前記可動部をフォーカシング方向及びトラッキング方向における中立位置にそれぞれ保持する中立用突部を前記ヨーク部に設け、前記中立用突部を略矩形状に形成し、トラッキング方向に延びる軸を中心として当該中立用突部又は前記マグネットを当該マグネット又は当該中立用突部に対して所定の角度傾斜させたことを特徴とする。
【００９３】
従って、駆動電流を供給するためのフレキシブルプリント配線板を可動部に取り付ける必要がなく、動作中に可動部に負荷がかかることがなく、可動部の感度の向上による動作の安定化を図ることができる。
【００９４】
また、可動部にフレキシブルプリント配線板が取り付けられないため、フレキシブルプリント配線板の可動スペースを確保する必要がなく、その分、対物レンズ駆動装置の小型化によるディスクドライブ装置の小型化を図ることができる。
【００９５】
さらに、可動部に設けられたマグネットは極対数が１とされているため、マグネットを小型とすることができると共に安価に製造することができるため、対物レンズ駆動装置の小型化及び製造コストの低減に伴うディスクドライブ装置の小型化及び製造コストの低減を図ることができる。
【００９６】
加えて、可動部に電流供給回路との電気的接続を図るための半田付け等の作業を行う必要がなく、固定部に半田付け等を行うことにより作業性の向上を図ることができ、また、半田付け等による可動部の重量バランスの悪化を防止することができる。そのうえ、フォーカシングコイルに駆動電流が供給されていないときに可動部をフォーカシング方向における中立位置に確実に保持することができ、また、トラッキングコイルに駆動電流が供給されていないときに可動部をトラッキング方向における中立位置に確実に保持することができる。また、可動部は支持軸部に対して常に一方に傾斜した状態でフォーカシング方向及びトラッキング方向に動作され、耐振動性が良好となり、支持軸部に対する可動部の傾斜方向の変動を来たすことなく安定して動作させることができる。
【図面の簡単な説明】
【図１】図２乃至図１３と共に本発明の実施の形態を示すものであり、本図はディスクドライブ装置の概略斜視図である。
【図２】カバーを分離して示す対物レンズ駆動装置の拡大斜視図である。
【図３】カバーを取り外した状態で示す対物レンズ駆動装置の拡大平面図である。
【図４】カバーを取り付けた状態で示す図３のＩＶ―ＩＶ線に沿う断面図である。
【図５】ヨークに設けられた中立用突部とマグネットとの関係を示す概念図である。
【図６】可動部が支持軸部に対して傾斜された状態を示す概念図である。
【図７】可動部が各位置にあるときに、可動部に発生するフォーカシング方向における駆動力とトラッキング方向における回転トルクとを測定したデーターを示すグラフ図である。
【図８】ベース部とカバー部とが非磁性材料によって形成された対物レンズ駆動装置を示す拡大断面図である。
【図９】ベース部とカバー部とに孔が形成された対物レンズ駆動装置を示す拡大断面図である。
【図１０】コイル体を用いた対物レンズ駆動装置をカバーを取り外して示す拡大平面図である。
【図１１】カバーを取り付けた状態で示す図１０のＸＩ―ＸＩ線に沿う断面図である。
【図１２】コイル体の拡大側面図である。
【図１３】図１０のＸＩＩＩ―ＸＩＩＩ線に沿う断面図である。
【図１４】図１５と共に従来の対物レンズ駆動装置を示すものであり、本図は概略拡大平面図である。
【図１５】概略拡大断面図である。
【符号の説明】
１…ディスクドライブ装置、４…ディスクテーブル、７…光学ピックアップ、８…移動ベース、９…対物レンズ駆動装置、１０…固定部、１１…可動部、１３…ヨーク部、１３ａ…中立用突部、１４…支持軸部、１５…フォーカシングコイル、１６…トラッキングコイル、２０…マグネット、２２…対物レンズ、１００…ディスク状記録媒体、９Ａ…対物レンズ駆動装置、１０Ａ…固定部、１２Ａ…ベース部、９Ｂ…対物レンズ駆動装置、１０Ｂ…固定部、９Ｃ…対物レンズ駆動装置、１０Ｃ…固定部、２４…コイル体、２５…コイル用基板、２５ａ…端子部、２６…フォーカシングコイル、２７…トラッキングコイル、２８…給電用基板
【図１】
0004016196.tif 000002
【図２】
0004016196.tif 000003
【図３】
0004016196.tif 000004
【図４】
0004016196.tif 000005
【図５】
0004016196.tif 000006
【図６】
0004016196.tif 000007
【図７】
0004016196.tif 000008
【図８】
0004016196.tif 000009
【図９】
0004016196.tif 000010
【図１０】
0004016196.tif 000011
【図１１】
0004016196.tif 000012
【図１２】
0004016196.tif 000013
【図１３】
0004016196.tif 000014
【図１４】
0004016196.tif 000015
【図１５】
0004016196.tif 000016